【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
個々の顧客の要望に合わせたオリジナルな数寄屋様式による部屋の内装を、柱、床柱、粱木、敷居、鴨居、壁板、天井板、床板などの建材キット、及び、建具、水屋、違い棚、欄間、畳などの完成品を組み立てて施工することを特徴とする数寄屋様式の内装施工方法。
【請求項２】
下地枠材を部屋の壁面及び床面に沿わせて、柱、床柱、梁木、鴨居、敷居などの部屋の骨組みとなる建材キットとともに組み立て、その後、残りの建材キットと畳を除く前記完成品を、組み立てた下地枠材と建材キットに固定して、床板上に畳を敷く施工方法である請求項１に記載の数寄屋様式の内装施工方法。
【請求項３】
前記建材キットには、該キットの発注管理、在庫管理、納入管理、及び組み立てを容易にする品番、符号、文字、図、絵のいずれかが付されたものが使用される請求項１又は２に記載の数寄屋様式の内装施工方法。
【請求項４】
前記数奇屋様式が茶室である請求項１ないし３のいずれかに記載の数奇屋様式の施工方法。
【請求項５】
請求項１ないし４のいずれかに記載の内装施工方法により、マンション、ビル、公共施設などの建物の一室が内装されていることを特徴とする数寄屋様式の室内構造。
【請求項６】
請求項１又ないし４のいずれかに記載の内装施工方法により、一戸建ての茶室の内装が施工されてなることを特徴とする数寄屋様式の室内構造。
【請求項７】
施工希望顧客から好みの間取りと造作をパソコン上で選択してもらうための営業支援ツールであって、
多種類の三次元の間取りパターン及びその品番と、各種類の壁板、壁紙、窓、障子、襖、床柱、梁、書院、天井、欄間、照明器具、坪庭などの造作各部材の画像パターン及びその品番と、好みの品番を指定する品番指定欄とが読出し可能に記憶され、
ディスプレイ上に読出した画像パターンの中からマウス又はキーボード或いはタッチペンなどのいずれか又は複数の入力手段を操作して好みの間取りの部屋を指定し、指定した部屋の所望個所にポインタを合わせてマウスをクリックさせると、その位置に対応した造作各部材の画像パターンがディスプレイ上に表示され、
この画像パターンの中から前記入力手段を操作して好みの造作部材を指定すると、指定した造作部材の画像が前記所望個所にはめ込まれるとともに、作成された部屋の画像とこれら一連の操作で指定した品番が記憶装置に読出し可能に記憶されるプログラムが格納されていることを特徴とするパソコン用記憶媒体。
【請求項８】
施工希望顧客の部屋の間取りをパソコンに入力するための営業支援ツールであって、複数種類の部屋のモデル図及びその寸法引出し線と、寸法引出し線に対応した寸法入力欄とが読出し可能に記憶され、ディスプレイ上に読出した各モデル図の中からマウス又はキーボード或いはタッチペンなどのいずれか又は複数の入力手段を操作して、施工希望者の部屋の間取りに似たモデル図を選択し、選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体。
【請求項９】
施工予定顧客が施工完成予想の仮想画像をパソコン上で見ることができる営業支援ツールであって、設計者が施工依頼顧客の要望に合わせて作成した二次元及び二次元の完成予想図の画像が読出し可能に記憶され、施工業者及び／又は施工予定顧客のパソコンから読出して、所望の目の高さ、目の向きに対応した三次元画像又は三次元動画でディスプレイに表示可能なプログラムが格納されていることを特徴とするパソコン用プログラム記憶媒体。
【請求項１０】
請求項１又は２に記載の建材キット及び完成品などの施工に必要な資材の運送スケジュールを決める資材の運送管理システムであって、資材の調達先の住所と出荷可能スケジュール、資材の数量、運送先の住所、交通ルート、陸上運送及び海上運送の価格、陸上運送及び海上運送業者の運送スケジュール、天候などを、通信回線を通じてディアルタイムで入手し、これらのデータをパソコンで解析して、経済的で効率の良い運送方法と運送日程と運送ルートを決定して、その情報をパソコンの画面に表示させることを特徴とする資材運送管理システム。
【手続補正２】
【補正対象書類名】明細書
【補正対象項目名】００１２
【補正方法】変更
【補正の内容】
【００１２】本発明は、これらの課題を解消するもので、費用を抑え、短期間で組み立てて、室内をオリジナルの間取りの和室，茶室などの数寄屋様式の部屋に新装し、或いはリフォームでき、更なるリフォーム、部屋の一部の模様替え、元の部屋に戻すなどの作業も容易に行える和室，茶室などの数寄屋様式の内装施工方法と、この施工方法により完成した和室，茶室などの数寄屋様式の室内構造と、施工希望顧客から好みの間取りと造作をパソコン上で選択してもらうための営業支援ツールが格納されたパソコン用記憶媒体、施工希望顧客の部屋の間取りをパソコンに入力する営業支援ツールが格納されたパソコン用記憶媒体、施工予定顧客が施工完成予想の仮想画像をパソコン上で見ることができる営業支援ツールが格納されたパソコン用記憶媒体、施工に必要な資材の経済的で効率良い運送方法と運送日程と運送ルートを決定して、その情報をパソコンの画面に表示させることができる資材運送管理システムを提供するためにある。
【手続補正３】
【補正対象書類名】明細書
【補正対象項目名】００１６
【補正方法】変更
【補正の内容】
【００１６】請求項３に記載の発明は、請求項１又は２に記載の施工方法において、前記建材キットには、該キットの発注管理、在庫管理、納入管理、及び組み立てを容易にする品番、符号、文字、図、絵のいずれかが付されたものが使用される数寄屋様式の内装施工方法である。
このように、内装キットに、品番、施工するときに組み付ける個所を示す表示が記されていると、入出荷、運送、伝票管理、施工時の組み立てる順序の間違いを起こさない。
そして、請求項４に記載の発明では、前記数奇屋様式が茶室構造であるとした。
【手続補正４】
【補正対象書類名】明細書
【補正対象項目名】００１７
【補正方法】変更
【補正の内容】
【００１７】請求項５に記載の発明は、請求項１ないし４のいずれかに記載の数寄屋様式の内装施工方法により、マンション、ビル、公共施設などの建物の一室が内装されていることを特徴とする数寄屋様式の部屋（茶室）の室内構造となっている。このため、建物内の一室を、施工依頼主の要望に沿った数寄屋造りの部屋にリフォームでき、リフォームが短期間で、費用を抑えて出来る。
【手続補正５】
【補正対象書類名】明細書
【補正対象項目名】００１８
【補正方法】変更
【補正の内容】
【００１８】請求項６に記載の発明は、請求項１ないし４のいずれかに記載の数寄屋様式の室内施工方法により一戸建ての茶室の内装が施工されてなることを特徴とする数寄屋様式の室内構造の発明である。
従来では、茶室の建築は茶室大工が施工していたため、施工価格が高価であり、施工現場で大工仕事を行っていたために、施工期間も長かったのに対し、本発明では、茶室の内装が短期間で、費用を抑えて施工出来るので、外装を含めた茶室全体を低価格で提供できる。茶室の外装は、注文建築によるものでも構わないが、施工期間が早く低価格で設置できるプレハブ式の外装にすることが好ましい。
【手続補正６】
【補正対象書類名】明細書
【補正対象項目名】００１９
【補正方法】変更
【補正の内容】
【００１９】また、本発明では、施工業者と顧客との打ち合わせを円滑に進める営業支援ツールを提案する。
その１つである請求項７に記載の発明は、施工希望顧客から好みの間取りと造作をパソコン上で選択してもらうための営業支援ツールであって、
多種類の三次元の間取りパターン及びその品番と、各種類の壁板、壁紙、窓、障子、襖、床柱、梁、書院、天井、欄間、照明器具、坪庭などの造作各部材の画像パターン及びその品番と、好みの品番を指定する品番指定欄とが読出し可能に記憶され、
ディスプレイ上に読出した画像パターンの中からマウス又はキーボード或いはタッチペンなどのいずれか又は複数の入力手段を操作して好みの間取りの部屋を指定し、指定した部屋の所望個所にポインタを合わせてマウスをクリックさせると、その位置に対応した造作各部材の画像パターンがディスプレイ上に表示され、
この画像パターンの中から前記入力手段を操作して好みの造作部材を指定すると、指定した造作部材の画像が前記所望個所にはめ込まれるとともに、作成された部屋の画像とこれら一連の操作で指定した品番が記憶装置に読出し可能に記憶されるプログラムが格納されていることを特徴とするパソコン用記憶媒体である。
【手続補正７】
【補正対象書類名】明細書
【補正対象項目名】００２０
【補正方法】変更
【補正の内容】
【００２０】この営業支援ツールは、施工前のプレゼンテーション用ツールであり、記憶媒体は、ＨＤ、ＣＤ、ＦＤ、ＭＯ、ＤＶＤなどである。
施工前に顧客から希望の間取りと使用する部材などを聞いて、ＣＡＤを使って二次元の図面、三次元のパース図による完成予想図、施工完成画像を作成して顧客に提出することは、従来においても建築分野で一般的に行われていたが、間取りと材料の組み合わせが好みに合うのか完成予想図を見なければ判らなかった。
この請求項７に記載のパンコン用記憶媒体を利用すると、施工業者及びその営業マンと顧客とが、パソコンを見ながら操作して、完成予想図を画像のはめ込みで作成出来るので、顧客の好みを正確に反映した完成予想図が、その場で出来上がる。
【手続補正８】
【補正対象書類名】明細書
【補正対象項目名】００２１
【補正方法】変更
【補正の内容】
【００２１】そして、請求項８において、施工希望顧客の部屋の間取りをパソコンに入力するための営業支援ツールであって、複数種類の部屋のモデル図及びその寸法引出し線と、寸法引出し線に対応した寸法入力欄とが読出し可能に記憶され、ディスプレイ上に読出した各モデル図の中からマウス又はキーボード或いはタッチペンなどのいずれか又は複数の入力手段を操作して、施工希望者の部屋の間取りに似たモデル図を選択し、選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体も提案する。
【手続補正９】
【補正対象書類名】明細書
【補正対象項目名】００２３
【補正方法】変更
【補正の内容】
【００２３】そして、請求項９において、施工予定顧客が施工完成予想の仮想画像をパソコン上で見ることができる営業支援ツールであって、設計者が施工依頼顧客の要望に合わせて作成した二次元及び三次元の完成予想図の画像が読出し可能に記憶され、施工業者及び／又は施工予定顧客のパソコンから読出して、所望の目の高さ、目の向きに対応した三次元画像又は三次元動画でディスプレイに表示可能なプログラムが格納されていることを特徴とするパソコン用プログラム記憶媒体も提案する。
【手続補正１０】
【補正対象書類名】明細書
【補正対象項目名】００２４
【補正方法】変更
【補正の内容】
【００２４】この請求項９に記載のパソコン用プログラム記憶媒体を利用すると、施工完成予想図の画像や動画をパソコンのディスプレイ上でバーチャル表示できるようになる。このため、完成予想の部屋の間取りや雰囲気を解り易く施工依頼主に示すことができ、とくに、目の高さと方向に合わせた視線で部屋の中を見ることができるので、施工依頼者を満足させ、施工の本注文の獲得から施工完成までを円滑に進めることができ、施工完成後に生じ易い施工依頼者からの不満や改善の要求が生じない。
【手続補正１１】
【補正対象書類名】明細書
【補正対象項目名】００２８
【補正方法】変更
【補正の内容】
【００２８】図１は茶室構造の部屋の内部を斜視図で示し、図２はその施工途中の状態を斜視図で示す。
図１に示す茶室構造の部屋１はマンションの１室（部屋）の内装を改装して出来ている。その施工は、図１及び図２に示すように、施工前の部屋が和室である場合には畳を取り除いた後、下地枠材２と、柱５、床枠６、鴨居７、敷居８、梁１０、床柱１１、壁板１２、床板１３、天井板１５、壁紙１７、欄間１８などの内装キット３と、障子１９、畳２０、襖２１、違い棚２２などの既に作り上げられたユニット品４とを組み立てて行う。
【手続補正１２】
【補正対象書類名】明細書
【補正対象項目名】００３０
【補正方法】変更
【補正の内容】
【００３０】図２に示すように、これらの材料を組み立てる施工は、先ず、下地枠材２と、内装キット３のうちの柱５、床枠６、鴨居７、敷居８、梁１０、床柱１３など内装の骨組みとなる材料と、部屋１の壁面Ｄ及び床面Ｆに沿わせて内装の骨格を形成し、床の間と書院の間に間仕切り１８も同時に形成する。部屋１を高床構造にしてその上に畳２０を敷設する場合には、床枠材６を組み付けて高床枠Ｆ２を同時に形成する。
そして、高床枠Ｆ２の上に床板１３を敷設する。尚、元の部屋に床の間や書院がある場合には、これらの空間を利用して、床の間や書院を設けることが好ましい。また、元の部屋に押し入れがある場合も、この空間を有効に生かして、床の間、書院、収納室などに改装することが好ましい。
次に、壁面Ｄに沿わせた下地枠材２に壁板１２を貼り付けて新たに壁面Ｄ１を形成し、既存の部屋１に窓Ｗが設けられている場合には、壁面Ｄ１に窓Ｗに合わせた大きさの開口部Ｐ１が形成されるように下地枠材２と壁板１２とを組み立てて、この開口部Ｐ１に障子１７の窓枠２４を嵌め込んで固定する。
次に、天井板１４を貼り付ける。
そして、天井板１４と梁１０の間に形成されている空間Ｐ２と、天井板１４と鴨居７の間に形成されている空間Ｐ３に、図１に示すように、それぞれ欄間１８Ａ，１８Ｂを嵌め込んで固定する。
そして、床板１３の上に畳２を敷き、襖と障子を取り付けると、施工は完了する。
尚、上述した施工の手順と茶室構造は、一例であり、必ずしも上述した施工手順及び様式に限定されない。
【手続補正１３】
【補正対象書類名】明細書
【補正対象項目名】００３１
【補正方法】変更
【補正の内容】
【００３１】このようにして茶室構造の部屋１に施工する。尚、炉２３には、床に掘り込むタイプの炉、又は置炉が知られているが、床に掘り込む様式の炉にする場合には、高床枠Ｆ２を形成するときに、この炉を嵌め込む凹部を形成する。
図１及び図２に示す茶室構造の部屋１は、４畳半であり、その中央に位置する半畳の畳２０Ａを取り除くと、堀炬燵（こたつ）になるように、床に凹部を形成し、この凹部の上を床板１３ａで覆い、その上に半畳の畳２０Ａを敷設することが好ましい。